(57)【要約】【課題】再生しようとするコンテンツの関連コンテンツの記録状態・視聴状態等を自動的にリスト表示することで、最適の再生処理を可能とする放送記録装置を提供する。【解決手段】放送信号を受信しこれを復調して複数の放送コンテンツを出力するチューナ部と、チューナ部からの複数の放送コンテンツを記録する記録部と、記録部が記録した複数の放送コンテンツの管理情報をリスト表示（図２）をするための表示信号を出力し、複数の放送コンテンツの内の一つの再生を指示する操作信号を受けると、記録されている複数の放送コンテンツから、再生指示された放送コンテンツに関連する複数の放送コンテンツの管理情報を時系列的にリスト表示をするための表示信号を出力するべく制御する制御部とを有する放送記録装置。【選択図】図１
2007180711.tif 000002
【特許請求の範囲】
【請求項１】
放送信号を受信しこれを復調して複数の放送コンテンツを出力するチューナ部と、
前記チューナ部からの前記複数の放送コンテンツを記録する記録部と、
前記記録部が記録した前記複数の放送コンテンツの管理情報をリスト表示をするための表示信号を出力し、前記複数の放送コンテンツの内の一つの再生を指示する操作信号を受けると、前記記録されている複数の放送コンテンツから、前記再生指示された放送コンテンツに関連する複数の放送コンテンツの管理情報を時系列的にリスト表示をするための表示信号を出力するべく制御する制御部と、を具備することを特徴とする放送記録装置。
【請求項２】
前記制御部は、前記再生を指示されたコンテンツが、特定の放送ジャンルのコンテンツであることを識別した場合に限り、前記再生指示された放送コンテンツに関連する複数の放送コンテンツの管理情報を時系列的にリスト表示をするための表示信号を出力することを特徴とする請求項１記載の放送記録装置。
【請求項３】
前記特定の放送ジャンルとはドラマであることを特徴とする請求項２記載の放送記録装置。
【請求項４】
前記特定の放送ジャンルを操作信号に応じて決定することができることを特徴とする請求項２記載の放送記録装置。
【請求項５】
前記制御部は、前記再生指示された放送コンテンツと、タイトル、録画曜日、録画時間、録画チャンネルがそれぞれ共通している場合、前記関連コンテンツであると判断することを特徴とする請求項１記載の放送記録装置。
【請求項６】
前記制御部は、前記再生指示された放送コンテンツに関連する複数の放送コンテンツの内の未再生のものを記録順に連続して再生するべく制御することを特徴とする請求項１記載の放送記録装置。
【請求項７】
前記制御部は、前記再生指示された放送コンテンツに関連する複数の放送コンテンツを自動的に削除から保護するべく制御することを特徴とする請求項１記載の放送記録装置。
【請求項８】
前記放送記録装置はディスプレイと記録再生機能とを備えたテレビジョン装置であることを特徴とする請求項１記載の放送記録装置。
【請求項９】
放送信号を復調して得た放送コンテンツを記録し、
前記記録した前記複数の放送コンテンツの管理情報をリスト表示をするための表示信号を出力し、
前記複数の放送コンテンツの内の一つの再生を指示する操作信号を受けると、前記記録されている複数の放送コンテンツから、前記再生指示された放送コンテンツに関連する複数の放送コンテンツの管理情報を時系列的にリスト表示をするための表示信号を出力することを特徴とする放送記録方法。
【請求項１０】
前記再生を指示されたコンテンツが、特定の放送ジャンルのコンテンツであることを識別した場合に限り、前記再生指示された放送コンテンツに関連する複数の放送コンテンツの管理情報を時系列的にリスト表示をするための表示信号を出力することを特徴とする請求項９記載の放送記録方法。
【請求項１１】
前記特定の放送ジャンルとはドラマであることを特徴とする請求項１０記載の放送記録方法。
【請求項１２】
前記特定の放送ジャンルを操作信号に応じて決定することができることを特徴とする請求項１０記載の放送記録方法。
【請求項１３】
前記再生指示された放送コンテンツと、タイトル、録画曜日、録画時間、録画チャンネルがそれぞれ共通している場合、前記関連コンテンツであると判断することを特徴とする請求項９記載の放送記録方法。
【請求項１４】
前記再生指示された放送コンテンツに関連する複数の放送コンテンツの内の未再生のものを記録順に連続して再生すべく制御することを特徴とする請求項９記載の放送記録方法。
【発明の詳細な説明】
【技術分野】
【０００１】
この発明は、放送コンテンツを記録する放送記録装置に関し、特に、関連のある複数の放送コンテンツをリスト表示する放送記録装置及び放送記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、簡易な操作によって予約録画等が可能となるため、膨大な放送コンテンツが記憶領域に記憶することができる。この結果、ユーザが録画した放送コンテンツを十二分に把握できていないという状況も発生しうる。
【０００３】
特許文献１には、このような状況に対して、例えば、特定の番組を再生する際に、その番組の前回の番組が再生されていない場合、『先週の連続番組がまだ未再生ですがどちらを再生しますか』と問うことにより、未再生の番組を残さずに視聴することができる記録装置を提供している。
【特許文献１】特開２００３−３１９３０８公報
【発明の開示】
【発明が解決しようとする課題】
【０００４】
しかし、特許文献１の装置においては、先週の未再生の番組が存在するかどうかはわかったとしても、その連続番組全体がどれだけ記録されているかや、どれだけ再生したか等の情報を得ることが容易にはできないという問題がある。
【０００５】
そこで、この発明は、再生しようとするコンテンツの関連コンテンツの記録状態・視聴状態等を自動的にリスト表示することで、最適の再生処理を可能とする放送記録装置を提供することを目的とする。
【課題を解決するための手段】
【０００６】
この発明に係る放送記録装置は、放送信号を受信しこれを復調して複数の放送コンテンツを出力するチューナ部と、前記チューナ部からの前記複数の放送コンテンツを記録する記録部と、前記記録部が記録した前記複数の放送コンテンツの管理情報をリスト表示をするための表示信号を出力し、前記複数の放送コンテンツの内の一つの再生を指示する操作信号を受けると、前記記録されている複数の放送コンテンツから、前記再生指示された放送コンテンツに関連する複数の放送コンテンツの管理情報を時系列的にリスト表示をするための表示信号を出力するべく制御する制御部とを具備することを特徴とする放送記録装置である。
【発明の効果】
【０００７】
ユーザが再生しようとするコンテンツに関連するコンテンツが自動的にリスト表示されるため、保有するコンテンツの状況を非常に容易に知ることができ、例えば、第３回、第４回の未視聴ドラマを見る前に第５回のドラマを見てしまうということを確実に回避する。
【発明を実施するための最良の形態】
【０００８】
以下、この発明の実施の形態について図面を参照して詳細に説明する。  
すなわち、図１は、本発明の一実施形態に係る放送記録装置の構成の一例を示すブロック図、図２は、同じく放送記録装置が保有している放送コンテンツのリスト表示の一例を示す説明図、図３は、同じく放送記録装置が保有している放送コンテンツのリスト表示の一例を示す説明図、図４は、同じく放送記録装置が保有している放送コンテンツのリスト表示の一例を示す説明図、図５は、同じく放送記録装置が保有している放送コンテンツのリスト表示の一例を示す説明図、図６は、同じく放送記録装置が行なうリスト表示処理の一例を示すフローチャート、図７は、同じく放送記録装置が行なうリスト表示処理（保護フラグ）の一例を示すフローチャート、図８は、同じく放送記録装置を操作するためのリモコン装置の一例を示す説明図である。
【０００９】
＜本発明の一実施形態に係る放送記録装置＞
（構成）
初めに、図１の放送記録装置１０は、一例として、チューナ等をソースとして記録機能を有するデジタルテレビジョンである。しかしながら、チューナ等と記録機能とをもったハードディスクレコーダも同様に好適である。
【００１０】
従って、以下の図１を用いた実施形態の説明においては、記録機能をもったデジタルテレビジョンとして詳細に説明を行なうが、図１からディスプレイ２６を分離することで、全く同様の機能をもったハードディスクレコーダとしての説明と解釈することが可能である。
【００１１】
図１において、デジタルテレビジョンである放送記録装置１０は、２種類のディスクドライブを有する。第1のメディアとしてハードディスクＨを駆動するハードディスクドライブ部１９と、第２のメディアとしてビデオファイルを構築できる情報記録媒体であるの光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００１２】
又、図１の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、関連コンテンツ制御部４２、予約録画部・番組表生成部４３を有している。これらの各部は、データバスＢを介して制御部３０に接続されている。更に、セレクタ部１７の出力は、ディスプレイ２６に供給されるか、外部装置との通信を行うインタフェース部２７を介して、外部装置に供給される。
【００１３】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１４】
（基本動作）
・放送コンテンツ再生
このような構成のデジタルテレビジョンである放送記録装置１０において、ユーザのリモコンＲ又は操作部３２の操作に応じた操作信号に従って、制御部３０等の制御下において、放送信号を受信しＢＳ／ＣＳチューナ１２又は地上波デジタル／アナログチューナ部１３からの放送コンテンツをディスプレイ２６に表示する。
【００１５】
・記録処理
次に、記録時の動作について、他の実施形態も含めて詳細に説明する。放送記録装置１０の入力側として、ＬＡＮ等の通信部１１は、外部機器と接続して、例えばモデムＭ等を介しインターネット等の通信路を経由して番組情報提供サーバＳ等と通信を行ったり、放送コンテンツ等をダウンロードしたりする。又、ＢＳ／ＣＳデジタル／アナログチューナ部１２、地上波デジタル／アナログチューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波放送のチューナ部や、ＢＳ／ＣＳチューナ部を２つ又は３つ以上を有し、予約録画の要求に応じて平行して機能させる場合も含んでいる。
【００１６】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００１７】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００１８】
又、ＢＳ／ＣＳアナログ／デジタルチューナ１２等は、必ずしも内蔵されている必要はなく、データ入力端子を介して外付けされて、受信したデジタル信号をセレクタ部１６を介してエンコーダ部２１や制御部３０に供給することも好適である。
【００１９】
ここで図１の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８や光ディスクＤに記録された情報を、制御部３０、光ディスクドライブ部１９を介して光ディスクＤやハードディスクドライブ部１８に記録することもできる。
【００２０】
信号編集部２０により、ハードディスクドライブ部１８や光ディスクＤに記録されている複数番組のビデオ・オブジェクトを、一部削除したり、異なる番組のオブジェクトをつなげたり、といった編集処理を行うこともできる。
【００２１】
・再生処理等  
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００２２】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００２３】
・予約録画処理
又、通信部１１やチューナ１２，１３から取得した電子番組情報に基づいて、予約録画部（番組表生成部）４３によりユーザのリモコンＲ等の操作により特定した番組に応じて、録画予約処理が可能であると共に、取得した電子番組情報に基づく番組表を画面表示することが可能となる。又、予約された予約録画情報に基づいて、制御部３０及び予約録画部４３の働きにより、予約時刻になると、ＢＳ／ＣＳデジタル／アナログチューナ部１２又は地上波デジタル／アナログチューナ部１３が受信した番組情報が復調された映像音声信号が、エンコーダ２１等のエンコード処理を経て、例えば、ハードディスク部Ｈに記録（予約録画）される。
【００２４】
この実施形態の放送記録装置１０は、このように総合的な機能を有しており、複数のソースに対して光ディスクＤ又はハードディスク部Ｈによる記録・再生処理を行うものである。
【００２５】
＜本発明の一実施形態である放送コンテンツのリスト表示＞
次に、本発明の一実施形態である放送コンテンツのリスト表示について、図面を用いて詳細に説明する。ここで、放送コンテンツのリスト表示機能とは、再生しようとする放送コンテンツに対して、保有する複数の放送コンテンツの中にこれから再生しようとする放送コンテンツに関連の放送コンテンツがあるか、具体的には、放送コンテンツが第５回のドラマであるとき、保有する複数の放送コンテンツの中に他の回のドラマの放送コンテンツが存在するかどうかを判断し、存在していれば、ユーザの指示を待たずにこの関連放送コンテンツのリスト表示を行い、指示を待つものである。
【００２６】
以下、図面とフローチャートとを用いて詳細にその動作を説明する。本発明の一実施形態であるデジタルテレビジョンである放送記録装置１０（上述のように、ハードディスクレコーダと考えることも可能）は、通信部１１等から取得した電子番組情報に基づいて、予約録画部（番組表生成部）４３により、非常に多くの放送コンテンツを自動的に予約録画することが可能であり、ハードディスクＨに大量の放送コンテンツがユーザが十分に把握できていない状態で保有されている場合が考えられる。
【００２７】
このような状態でユーザは、保有する放送コンテンツを再生するべく、図２に示すような録画済放送コンテンツリストを表示するべく、図８のリモコンＲや操作部３２の操作を行なう（ステップＳ１１）。制御部３０は、操作信号を受けると、予約録画部４３の記憶領域やハードディスク部Ｈに記憶している放送コンテンツの管理情報を取得しこれらに基づき表示信号を生成して音声映像処理部２４に供給することでディスプレイ２６には、図２に示すような録画済放送コンテンツリストを表示される（ステップＳ１２）。この録画済放送コンテンツリストは、保有する放送コンテンツの一部を画面表示しているだけに過ぎず、ユーザは、全体にどれだけの放送コンテンツがあるかを十分理解することができない。
【００２８】
しかしながら、ユーザは、ドラマ『北の村人（第５回）』に興味をもち、これをひとまず再生するべくリモコンＲの操作をして、このドラマを特定し再生キーを押下する。これにより、制御部３０は、この放送コンテンツの再生が指示されたことを認識する（ステップＳ１３）。
【００２９】
次に、制御部３０は、関連コンテンツ制御部４２と共同して、この放送コンテンツの放送ジャンルを識別し、これが予め指定された所定ジャンルである『ドラマ』であることを認識し、以降の関連リスト表示工程に移行する（ステップＳ１４）。なお、ここで放送コンテンツの放送ジャンルが例えば『ニュース』等のように予め指定された所定ジャンルでない場合は、制御部３０及びハードディスクドライブ部１８やＭＰＥＧデコーダ２３の動作により、通常の再生処理がなされる（ステップＳ１５）。
【００３０】
又、ここで、放送コンテンツの放送ジャンルとは、上述した電子番組情報から自動的に取得した管理情報であることが好適である。又、放送コンテンツの放送ジャンルは、少なくとも『ドラマ』であることが好適であるが、必ずしもドラマに限らず、例えば、『アニメーション』等の連続性のある放送ジャンルであることが好ましい。しかし、ユーザのリモコンＲ等による操作によって、『スポーツ』等の特異のジャンルが追加設定されてもよい。又、ユーザの操作によって、ジャンル指定を解除することも好適である。
【００３１】
ステップＳ１４において、制御部３０は、関連コンテンツ制御部４２と共同して、この放送コンテンツの放送ジャンルを識別し、これが予め指定された所定ジャンルである『ドラマ』であることを認識すると、関連コンテンツ制御部４２と共に、図３に示すような指定された放送コンテンツに共通の放送コンテンツのリスト表示のための表示信号を生成して、ディスプレイ２６に表示する（ステップＳ１６）。図３において、先に再生を指定した『北の村人（第５回）』が選択表示されて表示され、同時に、それ以外の関連の放送コンテンツである『北の村人（第１回）』乃至『北の村人（第８回）』Ｐ１乃至Ｐ８が自動的に画面にリスト表示されるものである。
【００３２】
ここで、ある放送コンテンツと他の放送コンテンツとの関連性の判断の基準であるが、一例として、「タイトル」、「録画曜日」、「録画時間」、「録画チャンネル」のそれぞれが全て一致していることが好適である。しかしながら、これらのうちの３つまで共通している等の多少の変形が同様に好適である。
【００３３】
この図３のリスト表示において、更に、『第１回からの連続再生』Ｐ９等のアイコンを表示して、ユーザのアイコンの特定があれば（ステップＳ１７）、制御部３０及び関連コンテンツ制御部４２の動作において、『北の村人（第１回）』乃至『北の村人（第８回）』Ｐ１乃至Ｐ８の記録順序に従った自動連続再生を行なうことが好適である。又は、例えば、ユーザ操作により特定された『北の村人（第３回）』Ｐ３等からの自動連続再生が行なわれるものである（ステップＳ１８）。
【００３４】
なお、これ以外にも図４のように、既に第１回や第２回のドラマは視聴済み、それ以外は未視聴である場合等は、視聴状況を画面表示することが好適である。この場合、『第３回からの連続再生』を示すアイコンＰ１０を表示することが好適であるが、単に『未視聴の放送コンテンツの連続再生』であってもよく、又、未視聴の放送コンテンツの領域について、色を異ならせる等のように、視聴を促す表示が可能である。
【００３５】
このように、ユーザが単に、録画済放送コンテンツリスト表示（図２）から再生を指示するだけで、関連放送コンテンツのリスト表示（図３）が自動表示されるため、ユーザは全ての関連の放送コンテンツの状況を容易に理解するとができるため、例えば、未視聴の第３回や第４回のドラマを視聴せずに、第５回のドラマを視聴してしまい、第３回や第４回のドラマに対して興味を半減してしまう等の不具合を回避することができる。
【００３６】
又、更に、図７のフローチャートに示すように、保護フラグの自動的な付与処理が好適である。図６と図７のフローチャートは、ステップＳ１１からステップＳ１７までは共通しており説明を省略し、以降の処理だけについて説明を行なう。
【００３７】
すなわち、図７のフローチャートのステップＳ１７において、この図３のリスト表示に示すように、『第１回からの連続再生』Ｐ９等のアイコンを表示して、放送コンテンツの再生指示があれば（ステップＳ１７）、図５に示すように、共通の放送コンテンツの全てを削除から保護するべく、保護フラグを設けるものである（ステップＳ２１）。そして、指定された放送コンテンツから順番に連続再生する（ステップＳ１８）。その後、再生したコンテンツの保護フラグを自動的に解除することが望ましいが、ユーザの指示を待って解除することであってもよい（ステップＳ２２）。これにより、少なくともユーザの再生の意思があった放送コンテンツが、何らかの理由で削除されてしまうという不具合を自動的に回避するものである。
【００３８】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３９】
【図１】本発明の一実施形態に係る放送記録装置の構成の一例を示すブロック図。
【図２】同じく放送記録装置が保有している放送コンテンツのリスト表示の一例を示す説明図。
【図３】同じく放送記録装置が保有している放送コンテンツのリスト表示の一例を示す説明図。
【図４】同じく放送記録装置が保有している放送コンテンツのリスト表示の一例を示す説明図。
【図５】同じく放送記録装置が保有している放送コンテンツのリスト表示の一例を示す説明図。
【図６】同じく放送記録装置が行なうリスト表示処理の一例を示すフローチャート。
【図７】同じく放送記録装置が行なうリスト表示処理（保護フラグ）の一例を示すフローチャート。
【図８】同じく放送記録装置を操作するためのリモコン装置の一例を示す説明図。
【符号の説明】
【００４０】
１１…通信部、１２…ＢＳ／ＣＳデジタル／アナログチューナ部、１３…地上波デジタル／アナログチューナ部、１９…光ディスクドライブ部、２０…信号編集部、２１…エンコーダ部、２２…バッファ部、２３…ＭＰＥＧデコーダ部、２４…音声映像処理部、２６…ディスプレイ、２７…Ｉ／Ｆ部、２８…多重化部、２９…分離部、３０…制御部、３２…操作部、３３…表示部、Ｒ…リモコン、４２…関連コンテンツ制御部、４３…予約録画部・番組表生成部。
【図１】
2007180711.tif 000003
【図２】
2007180711.tif 000004
【図３】
2007180711.tif 000005
【図４】
2007180711.tif 000006
【図５】
2007180711.tif 000007
【図６】
2007180711.tif 000008
【図７】
2007180711.tif 000009
【図８】
2007180711.tif 000010